(57)【要約】中継無線リソース構成エンティティを有する、レイヤ２中継ノード。中継無線リソース構成エンティティは、リソース構成情報をアクセスノードから受信するように構成される。一実施形態において、中継無線リソース構成エンティティは、リソース状態をアクセスノードに報告するようにさらに構成されている。一実施形態において、中継無線リソース構成エンティティは、ＲＲＣ＿ＣＯＮＮＥＣＴＥＤモードにあるユーザエージェントのためのアップリンクタイミング整合を維持するようにさらに構成されている。【選択図】図１
2012512605.tif 000002
【特許請求の範囲】
【請求項１】
中継無線リソース構成エンティティを有する中継ノードを備え、該中継無線リソース構成エンティティは、リソース構成情報をアクセスノードから受信するように構成される、デバイス。
【請求項２】
前記中継無線リソース構成エンティティは、リソース状態をアクセスノードに報告するようにさらに構成される、請求項１に記載のデバイス。
【請求項３】
前記中継無線リソース構成エンティティは、ＲＲＣ＿ＣＯＮＮＥＣＴＥＤモードにあるユーザエージェントのためのアップリンクタイミング整合を維持するようにさらに構成される、請求項１に記載のデバイス。
【請求項４】
前記中継無線リソース構成エンティティは、レイヤ１推定によって、アップリンクタイミングオフセット値を生成し、次いで、タイミング整合コマンドを前記ユーザエージェントに伝送するように媒体アクセス制御を構成することによって、前記アップリンクタイミング整合を維持するように構成される、請求項３に記載のデバイス。
【請求項５】
前記リソース構成情報は、前記中継ノードにおけるスケジューリングのために使用されるために、前記アクセスノードからの割り当てられた物理的ダウンリンク共有チャネル（ＰＤＳＣＨ）リソース、物理的アップリンク共有チャネル（ＰＵＳＣＨ）リソース、および物理的ダウンリンク制御チャネル（ＰＤＣＣＨ）リソースと、アクセスリンクのためのアップリンク物理的アップリンク制御チャネル（ＰＵＣＣＨ）、サウンディングリファレンスシグナル（ＳＲＳ）、およびスケジューリング要求（ＳＲ）構成と、前記中継ノード初期アクセスのための専用プリアンブルとのうちの少なくとも１つを含む、請求項１に記載のデバイス。
【請求項６】
前記リソース状態は、前記中継ノードのために使用されるいくつかのリソースブロックを含む、請求項１に記載のデバイス。
【請求項７】
前記中継無線リソース構成エンティティは、ＲＲＣ＿ＣＯＮＮＥＣＴＥＤモードにあるユーザエージェントに対するユーザエージェント識別リストを維持する、請求項１に記載のデバイス。
【請求項８】
プロトコルスタックが前記中継ノード上に格納され、前記中継無線リソース構成エンティティは、該プロトコルスタックの第１のレイヤ内にある、請求項１に記載のデバイス。
【請求項９】
前記中継無線リソース構成エンティティは、前記アクセスノード上の無線リソース制御レイヤに対応し、該中継無線リソース構成エンティティは、前記リソース構成情報を該アクセスノード上の無線リソース制御から受信する、請求項８に記載のデバイス。
【請求項１０】
前記中継無線リソース構成エンティティは、アップデートされたリソース構成情報をアクセスノードから受信するようにさらに構成される、請求項１に記載のデバイス。
【請求項１１】
前記中継ノードは、該中継ノードによる使用のために、受信したリソース構成情報を処理するようにさらに構成される、請求項１に記載のデバイス。
【請求項１２】
中継無線リソース構成エンティティを有する中継ノードに実装される方法であって、
該中継無線リソース構成エンティティにおいて、リソース構成情報をアクセスノードから受信することを含む、方法。
【請求項１３】
前記中継無線リソース構成エンティティを使用して、リソース状態をアクセスノードに報告することをさらに含む、請求項１２に記載の方法。
【請求項１４】
前記中継無線リソース構成エンティティを使用して、ＲＲＣ＿ＣＯＮＮＥＣＴＥＤモードにあるユーザエージェントのためのアップリンクタイミング整合を維持することをさらに含み、該ユーザエージェントは、前記中継ノードを経由して接続される、請求項１２に記載の方法。
【請求項１５】
前記中継無線リソース構成エンティティは、
レイヤ１推定によって、アップリンクタイミングオフセット値を生成することと、
その後、タイミング整合コマンドを前記ユーザエージェントに伝送するように媒体アクセス制御を構成することと
によって、前記アップリンクタイミング整合を維持する、請求項１４に記載の方法。
【請求項１６】
前記リソース構成情報は、前記中継ノードにおけるスケジューリングのために使用されるために、前記アクセスノードからの割り当てられた物理的ダウンリンク共有チャネル（ＰＤＳＣＨ）リソース、物理的アップリンク共有チャネル（ＰＵＳＣＨ）リソース、および物理的ダウンリンク制御チャネル（ＰＤＣＣＨ）リソースと、アクセスリンクのためのアップリンク物理的アップリンク制御チャネル（ＰＵＣＣＨ）、サウンディングリファレンスシグナル（ＳＲＳ）、およびスケジューリング要求（ＳＲ）構成と、前記中継ノード初期アクセスのための専用プリアンブルとのうちの少なくとも１つを含む、請求項１２に記載の方法。
【請求項１７】
前記リソース状態は、前記中継ノードのために使用されるいくつかのリソースブロックを含む、請求項１２に記載の方法。
【請求項１８】
前記中継無線リソース構成エンティティを使用して、前記中継ノードを経由してＲＲＣ＿ＣＯＮＮＥＣＴＥＤモードにあるユーザエージェントのためのユーザエージェント識別リストを維持することをさらに含む、請求項１２に記載の方法。
【請求項１９】
プロトコルスタックが前記中継ノード上に格納され、前記中継無線リソース構成エンティティは、該プロトコルスタックの第１のレイヤ内にある、請求項１２に記載の方法。
【請求項２０】
前記中継無線リソース構成エンティティは、前記アクセスノード上の無線リソース制御レイヤに対応する、請求項１９に記載の方法。
【請求項２１】
前記中継無線リソース構成エンティティは、前記アクセスノード上の無線リソース制御レイヤに対応し、該中継無線リソース構成エンティティは、前記リソース構成情報を該アクセスノード上の該無線リソース制御から受信する、請求項１９に記載の方法。
【請求項２２】
アップデートされたリソース構成情報を前記アクセスノードから受信することをさらに含む、請求項１２に記載の方法。
【請求項２３】
前記中継ノードによる使用のために、受信したリソース構成情報リソースを処理することをさらに含む、請求項１２に記載の方法。
【請求項２４】
コンピュータ読み取り可能命令を格納するコンピュータ読み取り可能媒体であって、
該命令は、実行されると、中継無線リソース構成エンティティを有する中継ノードに方法を実装し、該方法は、
該中継無線リソース構成エンティティにおいて、リソース構成情報をアクセスノードから受信することを含む、コンピュータ読み取り可能媒体。
【請求項２５】
前記方法は、前記中継無線リソース構成エンティティを使用して、リソース状態を前記アクセスノードに報告することをさらに含む、請求項２４に記載のコンピュータ読み取り可能媒体。
【請求項２６】
前記方法は、前記中継無線リソース構成エンティティを使用して、ＲＲＣ＿ＣＯＮＮＥＣＴＥＤモードにあるユーザエージェントのためのアップリンクタイミング整合を維持することを含み、該ユーザエージェントは、前記中継ノードを経由して接続される、請求項２４に記載のコンピュータ読み取り可能媒体。
【請求項２７】
前記中継無線リソース構成エンティティは、
レイヤ１推定によって、アップリンクタイミングオフセット値を生成することと、
その後、タイミング整合コマンドを前記ユーザエージェントに伝送するように媒体アクセス制御を構成することと
によって、前記アップリンクタイミング整合を維持する、請求項２６に記載のコンピュータ読み取り可能媒体。
【請求項２８】
前記方法は、前記中継無線リソース構成エンティティを使用して、前記中継ノードを経由してＲＲＣ＿ＣＯＮＮＥＣＴＥＤモードにあるユーザエージェントのためのユーザエージェント識別リストを維持することをさらに含む、請求項２４に記載のコンピュータ読み取り可能媒体。
【請求項２９】
前記中継無線リソース構成エンティティは、前記アクセスノード上の無線リソース制御レイヤに対応し、前記方法において、該中継無線リソース構成エンティティは、前記リソース構成情報を前記アクセスノード上の無線リソース制御から受信する、請求項２４に記載のコンピュータ読み取り可能媒体。
【請求項３０】
前記方法は、アップデートされたリソース構成情報を前記アクセスノードから受信することをさらに含む、請求項２４に記載のコンピュータ読み取り可能媒体。
【請求項３１】
前記方法は、前記中継ノードによる使用のために、受信したリソース構成情報を処理することをさらに含む、請求項２４に記載のコンピュータ読み取り可能媒体。
【発明の詳細な説明】
【背景技術】
【０００１】
本明細書で使用される場合、用語「ユーザエージェント」および「ＵＡ」は、ある場合には、携帯電話、携帯端末、携帯式またはラップトップコンピュータ、および電気通信能力を有する類似デバイス等のモバイルデバイスを指す場合がある。そのようなＵＡは、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケーションを含む、汎用集積回路カード（ＵＩＣＣ）等のＵＡおよびその関連付けられた可撤性メモリモジュールから成る場合があるが、それらに限定されない。代替として、そのようなＵＡは、そのようなモジュールを伴わずに、デバイス単体から成る場合がある。他の場合には、用語「ＵＡ」は、デスクトップコンピュータ、セットトップボックス、またはネットワーク機器等の類似能力を有するが、可搬性ではない、デバイスを指す場合がある。また、用語「ＵＡ」は、ユーザのための通信セッションを終了させることが可能な、任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、互換的に使用される場合がある。
【０００２】
電気通信技術の進歩に伴って、以前は不可能であったサービスを提供可能な、より高度なネットワークアクセス機器が導入されてきている。本ネットワークアクセス機器は、従来の無線電気通信システムにおける同等機器の改良である、システムおよびデバイスを含む場合がある。そのような高度または次世代機器は、ロングタームエボリューション（ＬＴＥ）等の発展的無線通信規格に含まれ得る。例えば、ＬＴＥシステムは、拡張ノードＢ（ｅＮＢ）、無線アクセスポイント、または従来の基地局ではない類似構成要素を含む場合がある。本明細書で使用されるように、用語「アクセスノード」は、ＵＡまたは中継ノードの電気通信システム内の他の構成要素へのアクセスを可能にする、受信および伝送範囲の地理的面積を生成する、従来の基地局、無線アクセスポイント、またはＬＴＥ  ｅＮＢ等の無線ネットワークの任意の構成要素を指す。本書では、用語「アクセスノード」および「アクセスノード」は、互換的に使用され得るが、アクセスノードは、複数のハードウェアおよびソフトウェアを備え得ることを理解されたい。
【０００３】
用語「アクセスノード」は、アクセスノードまたは別の中継ノードによって生成される範囲を拡張あるいは増進させるように構成される、無線ネットワーク内の構成要素である、「中継ノード」を指すわけではない。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合があることを理解されたい。しかしながら、構成要素は、アクセスノードの無線範囲が、無線通信システム内の他の構成要素にアクセスすることを要求する場合のみ、「中継ノード」と呼ばれる。加えて、２つ以上の中継ノードは、アクセスノードによって生成される範囲を拡張または増進させるために、直列的に使用され得る。
【０００４】
ＬＴＥシステムは、ＵＡとネットワークノードまたは他のＬＴＥ機器との間の無線リソースの割当、構成、および解放に関与する、無線リソース制御（ＲＲＣ）プロトコル等のプロトコルを含み得る。ＲＲＣプロトコルについては、第３世代パートナーシッププロジェクト（３ＧＰＰ）技術仕様（ＴＳ）３６．３３１に詳述されている。ＲＲＣプロトコルによると、ＵＡのための２つの基礎ＲＲＣモードは、「アイドルモード」および「接続モード」として定義される。接続モードまたは状態の間、ＵＡは、信号をネットワークと交換し、他の関連動作を行い得る一方、アイドルモードまたは状態の間、ＵＡは、その接続モード動作の少なくとも一部を停止し得る。アイドルおよび接続モード挙動については、３ＧＰＰ  ＴＳ  ３６．３０４およびＴＳ  ３６．３３１に詳述されている。
【０００５】
ＵＡ、中継ノード、およびアクセスノード間でデータを搬送する信号は、周波数、時間、およびコーディングパラメータ、ならびにネットワークノードによって指定される場合がある他の特性を有し得る。そのような特性の特有の集合を有する、これらの要素のいずれか間の接続は、リソースと称され得る。用語「リソース」、「通信接続」、「チャネル」、および「通信リンク」は、本明細書では、同義的に使用される場合がある。ネットワークノードは、典型的には、各ＵＡまたは任意の特定の時間に通信する他のネットワークノードのために、異なるリソースを確立する。
【発明の概要】
【課題を解決するための手段】
【０００６】
初めに、本開示の１つ以上の実施形態の例証的実装が後述されるが、開示されるシステムおよび／または方法は、現在既知または存在するかどうかにかかわらず、任意の数の技術を使用して、実装され得ることを理解されたい。本開示は、本明細書に例証および説明される例示的設計および実装を含め、以下に例証される例証的実装、図面、ならびに技術にいかようにも限定されるものではなく、添付の請求項の範囲とともに、それらの均等物の全範囲内において修正され得る。
【０００７】
本開示のより完全な理解のために、付随の図面および発明を実施するための形態と併せて、以下の簡単な説明を参照する（類似参照番号は、類似部品を表す）。
【図面の簡単な説明】
【０００８】
【図１】図１は、本開示のある実施形態による、中継ノードを含む、無線通信システムを例証する、略図である。
【図２】図２は、本開示のある実施形態による、ユーザエージェント、中継ノード、およびアクセスノード内のプロトコルスタックを示す、制御プレーンのブロック図である。
【図３】図３は、本開示のある実施形態による、中継ノードにおいて、中継無線リソース構成エンティティを使用する方法を例証する、工程図である。
【図４】図４は、本開示のいくつかの実施形態を実装するために好適なプロセッサおよび関連構成要素を例証する。
【発明を実施するための形態】
【０００９】
図１は、本開示のある実施形態による、中継ノード１０２を使用する、無線通信システム１００を例証する、略図である。概して、本開示は、無線通信ネットワークにおける中継ノードの使用に関する。無線通信ネットワークの実施例として、ＬＴＥまたはＬＴＥ−アドバンスド（ＬＴＥ−Ａ）ネットワークが挙げられるが、開示および請求される実施形態はすべて、ＬＴＥ−Ａネットワークに実装され得る。中継ノード１０２は、ＵＡ１１０から受信した信号を増幅または反復し、修正された信号をアクセスノード１０６で受信させることが可能である。中継ノード１０２のいくつかの実装では、中継ノード１０２は、データを伴う信号をＵＡ１１０から受信し、次いで、新しい信号を生成し、データをアクセスノード１０６に伝送する。また、中継ノード１０２は、データをアクセスノード１０６から受信し、データをＵＡ１１０に送達可能である。中継ノード１０２は、ＵＡ１１０が、セルのためのアクセスノード１０６と直接通信するのではなく、中継ノード１０２と通信可能であるように、セルのエッジ近傍に設置される場合がある。
【００１０】
無線システムでは、セルは、受信および伝送範囲の地理的面積である。セルは、相互に重複可能である。典型的実施例では、各セルと関連付けられた１つのアクセスノードが存在する。セルのサイズは、周波数帯域、電力レベル、およびチャネル条件等の要因によって決定される。中継ノード１０２等の中継ノードを使用して、セル内またはその近傍の範囲を増進させる、あるいはセルの範囲のサイズを拡張させることが可能である。加えて、中継ノード１０２の使用は、ＵＡ１１０がセルのためのアクセスノード１０６と直接通信する場合に使用し得るものより高いデータ速度または低い電力伝送で、ＵＡ１１０が中継ノード１０２にアクセス可能であるため、セル内の信号のスループットを増進させることが可能である。より高いデータ速度における伝送は、より少ないバッテリ電力を消耗することによって、より高いスペクトル効率を生成し、ＵＡ１１０に恩恵をもたらす。
【００１１】
中継ノードは、概して、３つのタイプ、すなわち、レイヤ１中継ノード、レイヤ２中継ノード、およびレイヤ３中継ノードに分割可能である。レイヤ１中継ノードは、本質的に、増幅および若干の遅延以外、任意の修正を伴わずに、伝送を再伝送可能な反復器である。レイヤ２中継ノードは、受信した伝送をデコードし、デコーティングの結果を再エンコードし、次いで、再エンコードされたデータを伝送可能である。レイヤ３中継ノードは、完全無線リソース制御能力を有することが可能であって、したがって、アクセスノードと同様に機能可能である。中継ノードによって使用される無線リソース制御プロトコルは、アクセスノードによって使用されるものと同一であり得、中継ノードは、典型的には、アクセスノードによって使用される、一意のセル識別子を有し得る。本開示の目的のために、中継ノードは、電気通信システム内の他の構成要素にアクセスするために、少なくとも１つのアクセスノード（および、そのアクセスノードと関連付けられたセル）または他の中継ノードの存在を必要とするという事実によって、アクセスノードと区別される。例証的実施形態は、主に、レイヤ２またはレイヤ３中継ノードに関係している。したがって、本明細書で使用されるように、用語「中継ノード」は、別途具体的に記述されない限り、レイヤ１中継ノードを指さない。
【００１２】
通信システム１００では、無線通信を可能にするリンクは、３つの個別のタイプであると言える。１つ目は、ＵＡ１１０が、中継ノード１０２を経由して、アクセスノード１０６と通信時、ＵＡ１１０と中継ノード１０２との間の通信リンクは、アクセスリンク１０８を介して生じていると言える。２つ目は、中継ノード１０２とアクセスノード１０６との間の通信は、中継リンク１０４を介して生じていると言える。３つ目は、中継ノード１０２を通過せずに、ＵＡ１１０とアクセスノード１０６との間を直接通過する通信は、直接リンク１１２を介して生じていると言える。用語「アクセスリンク」、「中継リンク」、および「直接リンク」は、図１によって説明される意味に従って、本書では使用される。
【００１３】
レイヤ２中継ノードを使用する困難点の１つは、２つの通信集合、すなわち、ＵＡと中継ノードとの間の通信およびＵＡとアクセスノードとの間の通信間の潜在的干渉を回避する等の無線リソース管理機能を処理するための無線リソース制御機構を有していないことである。
【００１４】
本問題を解決するための機構の１つは、中継ノードのプロトコルスタック内に構成エンティティを生成することである。構成エンティティの主要機能の１つは、リソース構成情報をアクセスノードから受信し、次いで、リソース状態をアクセスノードに報告することである。
【００１５】
したがって、例証的実施形態は、中継無線リソース構成エンティティ（ＲＲＲＣＥ）を有する、レイヤ２中継ノードを含む、デバイスを提供する。ＲＲＲＣＥは、リソース構成情報をアクセスノードから受信するように構成される。さらに、ＲＲＲＣＥは、リソース状態をアクセスノードに報告するように構成され得る。以下の図面、文章、および請求項は、ＲＲＲＣＥについてさらに説明する。
【００１６】
図２は、本開示のある実施形態による、ＵＡ２０２、中継ノード２０４、およびアクセスノード２０６のプロトコルスタックを示す、制御プレーン２００のブロック図である。ＵＡ２０２は、図１のＵＡ１１０に対応可能である。同様に、中継ノード２０４は、図１の中継ノード１０２に対応可能であって、アクセスノード２０６は、アクセスノード１０６に対応可能である。したがって、ＵＡ２０２、中継ノード２０４、およびアクセスノード２０６は、図１に関連して説明されたものと類似機能を有し、類似方法を行うことが可能である。
【００１７】
加えて、図２は、ＵＡ２０２、中継ノード２０４、およびアクセスノード２０６それぞれが、対応するプロトコルスタックを有することを示す。したがって、ＵＡ２０２は、ＵＡプロトコルスタック２０８を有し、中継ノード２０４は、中継ノードプロトコルスタック２１０を有し、アクセスノード２０６は、アクセスノードプロトコルスタック２１２を有する。プロトコルスタックは、ネットワーキングプロトコル群のソフトウェアまたはハードウェア実装である。本群は、プロトコルの定義であって、スタックは、プロトコルのハードウェアまたはソフトウェア実装である。群内の個々のプロトコルは、単一目的を想定して設計される場合が多いが、常にそういうわけではない。各プロトコルモジュールは、通常、他の２つと相互作用するため、プロトコルモジュールは、一般に、プロトコルのスタック内のレイヤとして描写される。最下位プロトコルは、「下位レベル」、すなわち、ハードウェアの物理的相互作用を処理する。したがって、例えば、物理レイヤ２１４（ＰＨＹ２１４）は、ＵＡプロトコルスタック２０８内のハードウェアレイヤであって、物理レイヤ２１６（ＰＨＹ２１６）は、中継ノードプロトコルスタック２１０内のハードウェアレイヤであって、物理レイヤ２１８（ＰＨＹ２１８）は、アクセスノードプロトコルスタック２１２内のハードウェアレイヤである。実際の実装では、図２に示されるもの等のプロトコルスタックは、多くの場合、３つの主要なセクション、すなわち、媒体、転送、およびアプリケーションに分割される。当業者は、相互に分離する各レイヤの描写が、説明の便宜上であって、いくつかの実施形態では、レイヤは、そのように明確に規定されない場合があることを理解するであろう。
【００１８】
図２に示される例証的実施形態では、中継ノード２０４は、３つの異なるレイヤにおいて、ＵＡ２０２とアクセスノード２０６との両方と相互作用する。例えば、物理レイヤ２１６は、物理レイヤ２１４および物理レイヤ２１８と相互作用する。同様に、中継ノードプロトコルスタック２１０内の媒体アクセス制御（ＭＡＣ）レイヤ２２２は、ＵＡプロトコルスタック２０８内の媒体アクセス制御（ＭＡＣ）レイヤ２２０と相互作用する。同様に、媒体アクセス制御（ＭＡＣ）レイヤ２２２は、アクセスノードプロトコルスタック２１２内の媒体アクセス制御（ＭＡＣ）レイヤ２２４と相互作用する。最下位レイヤから第３のレイヤでは、中継ノードプロトコルスタック２１０内の無線リンク制御（ＲＬＣ）レイヤ２２８は、ＵＡプロトコルスタック２０８内の無線リンク制御（ＲＬＣ）レイヤ２２６と相互作用する。同様に、無線リンク制御レイヤ２２８は、アクセスノードプロトコルスタック２１２内の無線リンク制御（ＲＬＣ）レイヤ２３０と相互作用する。
【００１９】
しかしながら、本点において、これらのレイヤ間の相互作用における複雑性が、指摘されるはずである。ＵＡ２０２は、中継ノード２０４およびアクセスノード２０６の両方との通信を試行し得る。例えば、ＵＡパケットデータ制御プロトコル２３２は、アクセスノードパケットデータ制御プロトコル２３６と直接通信可能である。同様に、ＵＡ無線リソース制御（ＲＲＣ）２３８は、アクセスノード無線リソース制御（ＲＲＣ）２４２と直接通信可能である。これらの最後の２つの相互作用は、図２の仮想線によって示される。同時通信は、望ましくない干渉をもたらし得る。
【００２０】
さらに、中継ノード２０４が、レイヤ２中継ノードである場合、レイヤ２中継ノードは、パケットデータ制御プロトコル（ＰＤＣＰ）を実装しないことがある。それでもなお、中継ノードとアクセスノードとの間の制御プレーンでは、ＰＤＣＰは、ＲＲＲＣＥとＲＲＣとの間の通信を要求される場合がある。
【００２１】
上述の干渉の問題を解決する方法の１つは、大部分の無線リンク制御機能が、中継ノード２０４に実装されることである。中継ノードにおけるこれらの制御機能の実装は、必ずしも、中継ノードが、レイヤ３中継ノードであることを意味するものではない。例えば、レイヤ３中継ノードは、概して、完全移動性サポート、ページング機能、および中継ノードにおいて大部分の無線リンク制御機能を実装するために必要ではない他の機能を有する。後述の実施形態は、レイヤ１またはレイヤ３中継ノードの使用を想定するが、後述の実施形態は、概して、レイヤ２中継ノードに関する。
【００２２】
中継ノード２０４への無線リンク制御機能の実装に対して、いくつかの理由が存在する。例えば、中継リンクおよびアクセスリンクは、異なるチャネル条件を有し得、したがって、異なるスケジューリングが可能となるべきである。別の実施例では、媒体アクセス制御転送ブロックのセグメンテーションは、中継ノード２０４においてサポートされるべきである。中継リンクとアクセスリンクとの間の異なるチャネル条件およびアンテナ構成は、伝送のための異なる変調およびコード化方式をもたらすであろう。したがって、転送ブロックサイズは、アクセスリンクと中継リンクとの間で異なり得、セグメンテーションは、異なる転送ブロックサイズをサポートするために使用される。さらに、無線リンク制御セグメンテーションのため、媒体アクセス制御パケットデータユニットのバッファリングは、無線リンク制御機能においてサポートされるべきである。さらに、自動再送要求（ＡＲＱ）は、アクセスリンクおよび中継リンク両方間の信頼性のある伝送のために有用である。最後に、レイヤ２中継ノードは、インターネットプロトコル（ＩＰ）レベルにおいて、データパケットを処理する必要がないことがあり、パケットデータ制御プロトコルは、ＵＡプロトコルスタック２０８に対して、中継ノードプロトコルスタック２１０に実装されない場合がある。
【００２３】
本実施例において、中継ノード２０４等のレイヤ２中継ノードに無線リンク制御機能の等価物を実装するための方法の１つは、中継ノードプロトコルスタック２１０内に、ハードウェア、ソフトウェア、ファームウェア、またはそれらの任意の組み合わせのいずれかとして実装される、中継無線リソース構成エンティティ（ＲＲＲＣＥ）２４０を使用することである。ソフトウェアにおいて実装される場合、ＲＲＲＣＥ２４０は、有形コンピュータ使用可能媒体内に、コンピュータ読み取り可能命令の形態として格納される。
【００２４】
中継ノード２０４内のＲＲＲＣＥ２４０は、リソース構成情報をアクセスノード２０６から受信し、具体的には、本情報をアクセスノード無線リソース制御（ＲＲＣ）２４２から受信する。リソース構成情報は、アクセスリンクを介してスケジューリングするために使用される、アクセスノード２０６からの割り当てられた物理的ダウンリンク共有チャネル（ＰＤＳＣＨ）リソース、物理的アップリンク共有チャネル（ＰＵＳＣＨ）リソース、および物理的ダウンリンク制御チャネル（ＰＤＣＣＨ）リソースを含む。アクセスノード２０６は、本情報をアップデートし得、アップデートされた情報を中継ノード２０４に信号伝達するべきである。
【００２５】
各ＵＡアップリンクに対して、アクセスノード２０６は、アップリンクリソース構成情報を中継ノードに送信し得る。アップリンクリソース構成情報は、少なくとも、アクセスリンクのための物理的アップリンク制御チャネル、サウンディングリファレンスシグナル（ｓｏｕｎｄｉｎｇ  ｒｅｆｅｒｅｎｃｅ  ｓｉｇｎａｌｓ）、およびスケジューリング要求（ＳＲ）構成を含む。また、リソース構成情報は、中継ノード初期アクセスのための専用プリアンブルを含み得る。信号伝達伝送は、直接各ＵＡ２０２専用であるが、信号伝達伝送は、中継ノード２０４を経由して成され得、またはそうでなくてもよい。また、アクセスノード２０６は、アクセスリンクが適切に作用し得るように、本情報を中継ノード２０４に伝送するべきである。アクセスノード２０６は、本情報をアップデートし得、アップデートされた情報をＵＡ２０２および中継ノード２０４に信号伝達するべきである。したがって、中継ノードは、そのような情報をＵＡ２０２またはアクセスノード２０６に中継するだけではなく、中継ノードによる使用のための受信したリソース構成情報を処理するようにさらに構成され得る。
【００２６】
さらに、ＲＲＲＣＥ２４０は、中継ノード２０４のために使用または要求される、いくつかのリソースブロック等、リソース状態をアクセスノード２０６に報告する。また、ＲＲＲＣＥ２４０は、ＲＲＣ＿ＣＯＮＮＥＣＴＥＤモードにあるが、中継ノード２０４を経由して接続される、ＵＡのためのアップリンク（ＵＬ）タイミング整合（ＴＡ）を維持しようとする。例証的実施形態では、ＲＲＲＣＥ２４０は、最初に、レイヤ１推定によって、アップリンクタイミングオフセット値を生成し、次いで、タイミング整合コマンドをＵＡに伝送するように媒体アクセス制御（ＭＡＣ）２２２を構成する。最後に、ＲＲＲＣＥ２４０は、ＲＲＣ＿ＣＯＮＮＥＣＴＥＤモードにあるが、中継ノード２０４を経由して接続される、ＵＡ識別リストを維持する。
【００２７】
図３は、本開示のある実施形態による、中継ノードにおける中継無線リソース構成エンティティの使用の方法を例証する、工程図である。図３に示される例証的方法は、図１の中継ノード１０２または図２の中継ノード２０４等の中継ノードに実装可能である。特に、図３に示されるプロセスは、図２の中継無線リソース構成エンティティ２４０等のレイヤ２中継ノードの中継無線リソース構成エンティティに実装可能である。
【００２８】
プロセスは、中継ノードが、中継無線リソース構成エンティティ（ＲＲＲＣＥ）において、リソース情報をアクセスノードから受信するのに伴って開始する（ブロック３００）。リソース構成情報は、中継ノードにおけるスケジューリングのために使用される、アクセスノードからの割り当てられた物理的ダウンリンク共有チャネル（ＰＤＳＣＨ）リソース、物理的アップリンク共有チャネル（ＰＵＳＣＨ）リソース、および物理的ダウンリンク制御チャネル（ＰＤＣＣＨ）リソースと、アクセスリンクのためのアップリンク物理的アップリンク制御チャネル（ＰＵＣＣＨ）、サウンディングリファレンスシグナル（ＳＲＳ）、およびスケジューリング要求（ＳＲ）構成と、中継ノード初期アクセスのための専用プリアンブルとのうちの少なくとも１つであり得る。次いで、中継ノードは、ＲＲＲＣＥを使用して、リソース状態をアクセスノードに報告する（ブロック３０２）。リソース状態は、例えば、中継ノードのために使用されるいくつかのリソースブロックであり得る。
【００２９】
以下の２つのステップは、ブロック３０２におけるようなリソース状態を報告する前または後に実装可能である。いずれの場合も、中継ノードは、ＲＲＲＣＥを使用して、ＲＲＣ＿ＣＯＮＮＥＣＴＥＤモードにあるＵＡのためのアップリンクタイミング整合を維持し、ＵＡは、中継ノードを経由して接続される（ブロック３０４）。本特定のステップは、２つのサブステップに分割可能である。例えば、ＲＲＲＣＥは、第１のレイヤ１推定によって、アップリンクタイミングオフセット値を生成し、次いで、タイミング整合コマンドをＵＡに伝送するように媒体アクセス制御を構成することによって、アップリンクタイミング整合を維持可能である。リソース状態を報告前または後に実装可能な他のステップでは、中継ノードＲＲＲＣＥを使用して、中継ノードを経由してＲＲＣ＿ＣＯＮＮＥＣＴＥＤモードにあるＵＡのためのＵＡ識別リストを維持する（ブロック３０６）。その後、プロセスは、終了する。
【００３０】
例証的実施形態では、プロトコルスタックは、中継ノード上に格納され、中継無線リソース構成エンティティ（ＲＲＲＣＥ）は、プロトコルスタックの第１のレイヤ内にある。さらなる例証的実施形態では、ＲＲＲＣＥは、アクセスノード上に格納される第２のプロトコルスタックの無線リソース制御レイヤに対応する。
【００３１】
ＵＡ１１０および上述の他の構成要素は、上述の作用に関連する命令を実行可能である、処理構成要を含む場合がある。図４は、本明細書に開示される１つ以上の実施形態を実装するために好適な処理構成要素１３１０を含む、システム１３００の実施例を例証する。プロセッサ１３１０（中央処理装置またはＣＰＵと称され得る）に加え、システム１３００は、ネットワーク接続デバイス１３２０、ランダムアクセスメモリ（ＲＡＭ）１３３０、読取専用メモリ（ＲＯＭ）１３４０、二次記憶装置１３５０、および入／出力（Ｉ／Ｏ）デバイス１３６０を含む場合がある。これらの構成要素は、バス１３７０を経由して、相互に通信する場合がある。ある場合には、これらの構成要素のうちのいくつかは、存在しなくてもよく、または相互または図示されない他の構成要素との種々の組み合わせにおいて組み合わせされ得る。これらの構成要素は、単一の物理的エンティティまたは２つ以上の物理的エンティティ内に位置する場合がある。プロセッサ１３１０によって行われる、本明細書に説明される任意の作用は、プロセッサ１３１０単独によって、あるいはデジタル信号プロセッサ（ＤＳＰ）１３０２等の図面に図示される、または図示されない、１つ以上の構成要素と併せて、プロセッサ１３１０によって、行われる場合がある。ＤＳＰ１３０２は、別個の構成要素として示されるが、ＤＳＰ１３０２は、プロセッサ１３１０内に組み込まれる場合がある。
【００３２】
プロセッサ１３１０は、ネットワーク接続デバイス１３２０、ＲＡＭ１３３０、ＲＯＭ１３４０、または二次記憶装置１３５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１３１０のみ示されるが、複数のプロセッサが存在し得る。したがって、命令は、プロセッサによって実装されるように論じられ得るが、命令は、１つまたは複数のプロセッサによって、同時に、連続的に、または別様に実行され得る。プロセッサ１３１０は、１つ以上のＣＰＵチップとして実装され得る。
【００３３】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバー分散データインタフェース（ＦＤＤＩ）デバイス、無線ローカルエリアネットワーク（ＷＬＡＮ）デバイス、符号分割多重アクセス方式（ＣＤＭＡ）デバイス等の無線送受信機デバイス、グローバル・システム・フォー・モバイル・コミュニケーションズ（ＧＳＭ）無線送受信機デバイス、ワイマックス（ＷｉＭＡＸ）デバイス、および／またはネットワークに接続するための他の周知のデバイスの形態をとってもよい。これらのネットワーク接続デバイス１３２０によって、プロセッサ１３１０は、プロセッサ１３１０が情報を受信するか、またはプロセッサ１３１０が情報を出力し得る、インターネットまたは１つ以上の電気通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００３４】
ＲＡＭ１３３０は、揮発性データと、恐らく、プロセッサ１３１０によって実行される命令とを格納するために使用される場合がある。ＲＯＭ１３４０は、典型的には、二次記憶装置１３５０のメモリ容量より小さいメモリ容量を有する、不揮発性メモリデバイスである。ＲＯＭ１３４０は、命令と、恐らく、命令の実行の際に読み取られるデータとを格納するために使用される場合がある。ＲＡＭ１３３０およびＲＯＭ１３４０の両方へのアクセスは、典型的には、二次記憶装置１３５０へよりも高速である。二次記憶装置１３５０は、典型的には、１つ以上のディスクドライプまたはテープドライブから構成され、データの不揮発性記憶のため、またはＲＡＭ１３３０が、全作業データを保持するために十分な大きさではない場合、オーバーフローデータ記憶デバイスとして、使用される場合がある。二次記憶装置１３５０は、プログラムが、実行のために選択されると、ＲＡＭ１３３０にロードされるプログラムを記憶するために使用され得る。
【００３５】
Ｉ／Ｏデバイス１３６０は、液晶ディスプレイ（ＬＣＤ）、タッチスクリーンディスプレイ、キーボード、スイッチ、ダイヤル、マウス、トラックボール、音声認識装置、カードリーダ、ペーパーテープリーダ、プリンタ、ビデオモニタ、または他の周知の入力デバイスを含み得る。また、送受信機１３２５は、ネットワーク接続デバイス１３２０の構成要素の代わりに、またはそれに加えて、Ｉ／Ｏデバイス１３６０の構成要素であると見なされる場合がある。
【００３６】
以下は、あらゆる目的のために、参照することによって本明細書に組み込まれる。第３世代パートナーシッププロジェクト（３ＧＰＰ）技術仕様（ＴＳ）３６．８１３および３ＧＰＰ  ＴＳ  ３６．８１４。
【００３７】
したがって、例証的実施形態は、中継無線リソース構成エンティティを有する、レイヤ２中継ノードを含む、デバイスを提供する。中継無線リソース構成エンティティは、リソース構成情報をアクセスノードから受信するように構成され、リソース状態をアクセスノードに報告するようにさらに構成される。
【００３８】
同様に、例証的実施形態は、中継無線リソース構成エンティティを有するレイヤ２リソースノードに実装される方法を提供する。方法は、中継無線リソース構成エンティティにおいて、リソース構成情報をアクセスノードから受信することを含む。
【００３９】
同様に、例証的実施形態は、中継無線リソース構成エンティティを有するレイヤ２リソースノードにコンピュータ実装方法を実装するためのコンピュータ読み取り可能命令を格納する有形コンピュータ読み取り可能媒体を提供する。そのようなコンピュータ実装方法は、中継無線リソース構成エンティティにおいて、リソース構成情報をアクセスノードから受信するステップを含む。さらに、コンピュータ実装方法は、中継無線リソース構成エンティティを使用して、リソース状態をアクセスノードに報告することを含む。
【００４０】
いくつかの実施形態が、本開示に提供されたが、開示されるシステムおよび方法は、本開示の精神または範囲から逸脱することなく、多くの他の特定の形態において具現化され得ることを理解されたい。本実施例は、制限ではなく、例証として見なされ、本明細書に与えられる詳細に限定されないことが意図される。例えば、種々の要素または構成要素は、組み合わせられる、または別のシステムに統合され得、あるいはある特徴は、省略される、または実装されなくてもよい。
【００４１】
また、個別または別個として、種々の実施形態に説明および例証される、技術、システム、サブシステム、ならびに方法は、本開示の範囲から逸脱することなく、他のシステム、モジュール、技術、または方法と組み合わせられるか、あるいは統合され得る。結合される、または直接結合されるか、あるいは相互に通信するように示されるか、もしくは論じられる、他のアイテムは、電気的に、機械的に、または別様にかにかかわらず、いくつかのインターフェース、デバイス、あるいは中間構成要素を通して、間接的に結合されるか、もしくは通信し得る。変更、代用、および改変の他の実施例も、当業者によって究明可能であって、本明細書に開示される精神および範囲から逸脱することなく、成され得る。
【図１】
2012512605.tif 000003
【図２】
2012512605.tif 000004
【図３】
2012512605.tif 000005
【図４】
2012512605.tif 000006
【国際調査報告】
2012512605.tif 000007
2012512605.tif 000008
2012512605.tif 000009
2012512605.tif 000010